(57)【要約】【課題】本発明は、光バースト信号生成の効率化を図り、光バーストスイッチングによる消費電力削減効果を増大することを目的とする。【解決手段】本発明は、光信号からバースト信号を生成する光バースト信号生成装置１と、光信号を光バースト信号生成装置１に送信する光信号送信装置２と、を備えるバースト信号生成システムであって、光バースト信号生成装置１は、バースト信号を宛先に向けて送信する送信予定時刻をバースト信号ごとに決定するバースト信号制御部１２と、送信予定時刻及び送信予定時刻に送信される宛先を光信号送信装置２に通知するバースト信号制御部１２及び光送信器１３と、を備え、光信号送信装置２は、送信予定時刻に送信される宛先への光信号を送信予定時刻までに光バースト信号生成装置１に到着させる電気バッファ読出制御部２２及び光送信器２４と、を備えるバースト信号生成システムである。【選択図】図２
2013081140.tif 000002
【特許請求の範囲】
【請求項１】
光信号からバースト信号を生成するバースト信号生成装置と、
光信号を前記バースト信号生成装置に送信する光信号送信装置と、
を備えるバースト信号生成システムであって、
前記バースト信号生成装置は、
バースト信号を宛先に向けて送信する送信予定時刻をバースト信号ごとに決定する送信予定時刻決定部と、
前記送信予定時刻及び前記送信予定時刻に送信される前記宛先を前記光信号送信装置に通知する送信予定時刻通知部と、
前記送信予定時刻に送信される前記宛先への光信号を前記送信予定時刻までに前記光信号送信装置から受信する光信号受信部と、
を備え、
前記光信号送信装置は、
前記送信予定時刻及び前記送信予定時刻に送信される前記宛先を前記バースト信号生成装置から受信する送信予定時刻受信部と、
前記送信予定時刻に送信される前記宛先への光信号を前記送信予定時刻までに前記バースト信号生成装置に到着させる光信号送信部と、
を備えることを特徴とするバースト信号生成システム。
【請求項２】
前記光信号送信装置から送信される光信号の単位時間の送信量が少ないほど、前記送信予定時刻の間隔が長いことを特徴とする、請求項１に記載のバースト信号生成システム。
【請求項３】
前記バースト信号生成装置の前記送信予定時刻通知部は、さらにバースト長の上限を前記光信号送信装置に通知し、
前記光信号送信装置の前記送信予定時刻受信部は、さらにバースト長の上限を前記バースト信号生成装置から受信し、
前記光信号送信装置の前記光信号送信部は、バースト長の上限に従った前記宛先への光信号を前記バースト信号生成装置に送信し、
前記バースト信号生成装置の前記光信号受信部は、バースト長の上限に従った前記宛先への光信号を前記光信号送信装置から受信する
ことを特徴とする、請求項１又は２に記載のバースト信号生成システム。
【請求項４】
前記光信号送信装置は、
送信の優先度が互いに異なる信号を蓄積する複数のバッファ、
をさらに備え、
前記光信号送信装置の前記光信号送信部は、前記複数のバッファのうち送信の優先度が高い信号を蓄積するバッファに対して、前記光信号送信装置の前記送信予定時刻受信部が受信した前記送信予定時刻及び前記送信予定時刻に送信される前記宛先に関わらず、優先的に読み出しを行ない、前記複数のバッファのうち送信の優先度が低い信号を蓄積するバッファに対して、前記光信号送信装置の前記送信予定時刻受信部が受信した前記送信予定時刻及び前記送信予定時刻に送信される前記宛先に基づいて、非優先的に読み出しを行なうことを特徴とする、請求項１から３のいずれかに記載のバースト信号生成システム。
【請求項５】
光信号送信装置から送信された光信号からバースト信号を生成するバースト信号生成装置であって、
バースト信号を宛先に向けて送信する送信予定時刻をバースト信号ごとに決定する送信予定時刻決定部と、
前記送信予定時刻及び前記送信予定時刻に送信される前記宛先を前記光信号送信装置に通知する送信予定時刻通知部と、
前記送信予定時刻に送信される前記宛先への光信号を前記送信予定時刻までに前記光信号送信装置から受信する光信号受信部と、
を備えることを特徴とするバースト信号生成装置。
【請求項６】
前記光信号送信装置から送信される光信号の単位時間の送信量が少ないほど、前記送信予定時刻の間隔が長いことを特徴とする、請求項５に記載のバースト信号生成装置。
【請求項７】
光信号からバースト信号を生成するバースト信号生成装置に光信号を送信する光信号送信装置であって、
前記バースト信号生成装置がバースト信号を宛先に向けて送信する送信予定時刻をバースト信号ごとに決定した際に、前記送信予定時刻及び前記送信予定時刻に送信される前記宛先を前記バースト信号生成装置から受信する送信予定時刻受信部と、
前記送信予定時刻に送信される前記宛先への光信号を前記送信予定時刻までに前記バースト信号生成装置に到着させる光信号送信部と、
を備えることを特徴とする光信号送信装置。
【請求項８】
前記光信号送信部から送信される光信号の単位時間の送信量が少ないほど、前記送信予定時刻の間隔が長いことを特徴とする、請求項７に記載の光信号送信装置。
【発明の詳細な説明】
【技術分野】
【０００１】
本発明は、光伝送システムの光バースト信号生成に関する。
【背景技術】
【０００２】
全光ネットワーク実現に向けた光バーストスイッチングの研究開発が活発になされている。光バーストスイッチングを用いることにより、制御用信号を元に、伝送される信号を光／電気／光変換することなくスイッチングすることが可能となるため、将来の大容量化時に課題となるルータにおけるスイッチング処理の消費電力増大の解決手法として期待できる。
【０００３】
光バーストスイッチングでは、伝送されるバースト信号のフレームのうち、制御用信号のみ光／電気／光変換され、データ信号は光のまま伝送されるので、データ信号を長くすることにより、消費電力を抑えたスイッチング処理が可能となる。ただし、データ信号の長さがその都度大幅に変動すると、光バーストスイッチング網におけるバースト信号への波長割当等の制御が複雑になるため、運用制御が難しくなる。また、データ信号を長くするためには、バースト信号生成時間がより長く必要となるため、その分信号の遅延が問題となる。
【０００４】
上記問題の解決手法として、非特許文献１に記載のバースト信号生成方式がある。従来技術の光バースト信号生成装置の処理を図１に示す。図１の方式では、光バースト信号生成装置１に到着する信号を２つの条件によりバースト信号にする。
【０００５】
条件１では、到着した信号を電気バッファに蓄え、蓄えられた信号のデータ長がある閾値以上になった場合に、それをバースト信号として送信する。図１の場合、同じあて先の信号Ｓ１〜Ｓ６が光バースト信号生成装置１に伝送されてくるとき、電気バッファの閾値が越される信号Ｓ４が到着した時点で光バースト信号生成を行い、信号Ｓ１〜Ｓ４をひとつの光バースト信号として送信する。条件１を用いて光バースト信号生成をすることにより、光バースト信号を一定長以下にすることができるので、光バースト信号の長さが大幅に変動しなくなり、その結果、前述の運用制御の問題を回避することができる。
【０００６】
条件２では、到着した信号を電気バッファに蓄え、先頭の信号が到着してから一定時間内に到着した信号をバースト信号にする。図１の場合、同じあて先の信号Ｓ１〜Ｓ６が光バースト信号生成装置１に伝送されてくるとき、信号Ｓ１が到着してから一定時間内に到着した信号Ｓ１、Ｓ２をひとつの光バースト信号として送信する。条件２を用いて光バースト信号生成をすることにより、遅延時間を一定時間内に抑制することができるため、必要な遅延時間を保証することができる。
【先行技術文献】
【非特許文献】
【０００７】
【非特許文献１】Ｙｉｊｕｎ  Ｘｉｏｎｇ  ｅｔ  ａｌ．，“Ｃｏｎｔｒｏｌ  Ａｒｃｈｉｔｅｃｔｕｒｅ  ｉｎ  Ｏｐｔｉｃａｌ  Ｂｕｒｓｔ−Ｓｗｉｔｃｈｅｄ  ＷＤＭ  Ｎｅｔｗｏｒｋｓ”，ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，Ｖｏｌ．１８，Ｎｏ．１０，Ｏｃｔｏｂｅｒ  ２０００．
【発明の概要】
【発明が解決しようとする課題】
【０００８】
図１の方式においては、光バースト信号生成装置１に伝送されてくる信号に対し、何もタイミング制御を加えていないため、条件２をもとにした光バースト信号生成がなされてしまう可能性がある。条件２をもとにした光バースト信号生成の場合、光バースト信号が短くなってしまうことがあるため、前述した光バーストスイッチングによる消費電力削減効果が低くなってしまうことがあるという問題が生じてしまう。
【０００９】
そこで、前記課題を解決するために、本発明は、光バースト信号生成の効率化を図り、光バーストスイッチングによる消費電力削減効果を増大することを目的とする。
【課題を解決するための手段】
【００１０】
バースト信号生成システムは、光信号からバースト信号を生成するバースト信号生成装置と、光信号をバースト信号生成装置に送信する光信号送信装置と、を備える。ここで、バースト信号生成装置は、出力予定時刻及び出力予定時刻に出力される宛先を、光信号送信装置に通知することとした。そして、光信号送信装置は、出力予定時刻に出力される宛先への光信号を、出力予定時刻までにバースト信号生成装置に到着させることとした。
【００１１】
具体的には、本発明は、光信号からバースト信号を生成するバースト信号生成装置と、光信号を前記バースト信号生成装置に送信する光信号送信装置と、を備えるバースト信号生成システムであって、前記バースト信号生成装置は、バースト信号を宛先に向けて送信する送信予定時刻をバースト信号ごとに決定する送信予定時刻決定部と、前記送信予定時刻及び前記送信予定時刻に送信される前記宛先を前記光信号送信装置に通知する送信予定時刻通知部と、前記送信予定時刻に送信される前記宛先への光信号を前記送信予定時刻までに前記光信号送信装置から受信する光信号受信部と、を備え、前記光信号送信装置は、前記送信予定時刻及び前記送信予定時刻に送信される前記宛先を前記バースト信号生成装置から受信する送信予定時刻受信部と、前記送信予定時刻に送信される前記宛先への光信号を前記送信予定時刻までに前記バースト信号生成装置に到着させる光信号送信部と、を備えることを特徴とするバースト信号生成システムである。
【００１２】
また、本発明は、光信号送信装置から送信された光信号からバースト信号を生成するバースト信号生成装置であって、バースト信号を宛先に向けて送信する送信予定時刻をバースト信号ごとに決定する送信予定時刻決定部と、前記送信予定時刻及び前記送信予定時刻に送信される前記宛先を前記光信号送信装置に通知する送信予定時刻通知部と、前記送信予定時刻に送信される前記宛先への光信号を前記送信予定時刻までに前記光信号送信装置から受信する光信号受信部と、を備えることを特徴とするバースト信号生成装置である。
【００１３】
また、本発明は、光信号からバースト信号を生成するバースト信号生成装置に光信号を送信する光信号送信装置であって、前記バースト信号生成装置がバースト信号を宛先に向けて送信する送信予定時刻をバースト信号ごとに決定した際に、前記送信予定時刻及び前記送信予定時刻に送信される前記宛先を前記バースト信号生成装置から受信する送信予定時刻受信部と、前記送信予定時刻に送信される前記宛先への光信号を前記送信予定時刻までに前記バースト信号生成装置に到着させる光信号送信部と、を備えることを特徴とする光信号送信装置である。
【００１４】
この構成によれば、送信予定時刻を適切に設定することで、光バースト信号生成の効率化を図り、光バーストスイッチングによる消費電力削減効果を増大することができる。
【００１５】
また、本発明は、前記光信号送信装置から送信される光信号の単位時間の送信量が少ないほど、前記送信予定時刻の間隔が長いことを特徴とするバースト信号生成システムである。
【００１６】
また、本発明は、前記光信号送信装置から送信される光信号の単位時間の送信量が少ないほど、前記送信予定時刻の間隔が長いことを特徴とするバースト信号生成装置である。
【００１７】
また、本発明は、前記光信号送信部から送信される光信号の単位時間の送信量が少ないほど、前記送信予定時刻の間隔が長いことを特徴とする光信号送信装置である。
【００１８】
この構成によれば、バースト長が短くなりすぎないため、光バースト信号生成の効率化を図り、光バーストスイッチングによる消費電力削減効果を増大することができる。
【００１９】
また、本発明は、前記バースト信号生成装置の前記送信予定時刻通知部は、さらにバースト長の上限を前記光信号送信装置に通知し、前記光信号送信装置の前記送信予定時刻受信部は、さらにバースト長の上限を前記バースト信号生成装置から受信し、前記光信号送信装置の前記光信号送信部は、バースト長の上限に従った前記宛先への光信号を前記バースト信号生成装置に送信し、前記バースト信号生成装置の前記光信号受信部は、バースト長の上限に従った前記宛先への光信号を前記光信号送信装置から受信することを特徴とするバースト信号生成システムである。
【００２０】
この構成によれば、バースト長が長くなりすぎないため、バースト長の変動による運用制御の困難やバースト長の増大による遅延の増大を回避することができる。
【００２１】
また、本発明は、前記光信号送信装置は、送信の優先度が互いに異なる信号を蓄積する複数のバッファ、をさらに備え、前記光信号送信装置の前記光信号送信部は、前記複数のバッファのうち送信の優先度が高い信号を蓄積するバッファに対して、前記光信号送信装置の前記送信予定時刻受信部が受信した前記送信予定時刻及び前記送信予定時刻に送信される前記宛先に関わらず、優先的に読み出しを行ない、前記複数のバッファのうち送信の優先度が低い信号を蓄積するバッファに対して、前記光信号送信装置の前記送信予定時刻受信部が受信した前記送信予定時刻及び前記送信予定時刻に送信される前記宛先に基づいて、非優先的に読み出しを行なうことを特徴とするバースト信号生成システムである。
【００２２】
この構成によれば、送信の優先度が高い信号に対して、遅延の増大を回避することができ、送信の優先度が低い信号に対して、光バースト信号生成の効率化を図り、光バーストスイッチングによる消費電力削減効果を増大することができる。
【発明の効果】
【００２３】
本発明は、光バースト信号生成の効率化を図り、光バーストスイッチングによる消費電力削減効果を増大することができる。
【図面の簡単な説明】
【００２４】
【図１】従来技術の光バースト信号生成装置の処理を示す図である。
【図２】実施形態１のバースト信号生成システムの構成を示す図である。
【図３】実施形態２のバースト信号生成システムの構成を示す図である。
【図４】実施形態３の光信号送信装置の構成を示す図である。
【図５】実施形態４の光信号送信装置の構成を示す図である。
【図６】実施形態５のバースト信号生成システムの構成を示す図である。
【図７】実施形態６のバースト信号生成システムの構成を示す図である。
【図８】実施形態７の光信号送信装置の処理を示す図である。
【発明を実施するための形態】
【００２５】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００２６】
（実施形態１）
実施形態１のバースト信号生成システムの構成を図２に示す。バースト信号生成システムは、光バースト信号生成装置１及び光信号送信装置２から構成される。光バースト信号生成装置１は、光信号からバースト信号を生成する。光信号送信装置２は、光信号を光バースト信号生成装置１に送信する。
【００２７】
光バースト信号生成装置１は、光バースト送信器１１、バースト信号制御部１２、光送信器１３、光受信器１４及び電気バッファ１５から構成される。光バースト送信器１１は、バースト信号を送信予定時刻において宛先に向けて送信する。バースト信号制御部１２は、送信予定時刻決定部に対応し、バースト信号を宛先に向けて送信する送信予定時刻をバースト信号ごとに決定する。バースト信号制御部１２及び光送信器１３は、送信予定時刻通知部に対応し、送信予定時刻及び送信予定時刻に送信される宛先を光信号送信装置２に通知する。光受信器１４は、光信号受信部に対応し、送信予定時刻に送信される宛先への光信号を送信予定時刻までに光信号送信装置２から受信する。制御信号Ｃは、送信予定時刻の情報及び送信予定時刻に送信される宛先の情報を含む。電気バッファ１５は、バースト信号制御部１２からの制御を受け、光バースト送信器１１に信号を出力する。
【００２８】
光信号送信装置２は、光受信器２１、電気バッファ読出制御部２２、電気バッファ２３及び光送信器２４から構成される。光受信器２１は、送信予定時刻受信部に対応し、送信予定時刻及び送信予定時刻に送信される宛先を光バースト信号生成装置１から受信する。電気バッファ読出制御部２２及び光送信器２４は、光信号送信部に対応し、送信予定時刻に送信される宛先への光信号を送信予定時刻までに光バースト信号生成装置１に到着させる。信号Ｓは宛先が送信予定時刻に送信される宛先と一致する信号を含む。電気バッファ２３は、電気バッファ読出制御部２２からの制御を受け、光送信器２４に信号を出力する。
【００２９】
ここで、光バースト信号生成装置１及び光信号送信装置２を一度設置すれば、それらの間の信号伝送距離は変化しないため、それらの間の信号伝送時間も変化しない。そこで、光バースト信号生成装置１は、信号伝送時間の情報を保持することにより、送信予定時刻を適切に設定することができる。そして、光信号送信装置２は、信号伝送時間の情報を保持することにより、送信予定時刻までに光バースト信号生成装置１に光信号を到着させることができるかどうかを適切に判断することができる。
【００３０】
このように、送信予定時刻を適切に設定することで、光バースト信号生成の効率化を図り、光バーストスイッチングによる消費電力削減効果を増大することができる。
【００３１】
ここで、光信号送信装置２から送信される光信号の単位時間の送信量が少ないほど、送信予定時刻の間隔が長いことが好ましい。このときには、バースト長が短くなりすぎないため、光バースト信号生成の効率化を図り、光バーストスイッチングによる消費電力削減効果を増大することができる。そして、光信号送信装置２から送信される光信号の単位時間の送信量が多いほど、送信予定時刻の間隔が短いことが好ましい。このときには、バースト長が長くなりすぎないため、バースト長の変動による運用制御の困難やバースト長の増大による遅延の増大を回避することができる。また、送信予定時刻は、光バースト信号生成装置１からバーストスイッチング網へと光信号を送信するにあたり、光信号を他の光信号と時間的に衝突させないように、決定することができる。また、送信予定時刻は、光バースト信号生成装置１にて許容される最大遅延時間を考慮して、決定することができる。
【００３２】
（実施形態２）
実施形態２のバースト信号生成システムの構成を図３に示す。実施形態２において実施形態１に加えて追加した点について以下では説明する。
【００３３】
バースト信号制御部１２及び光送信器１３は、さらにバースト長の上限を光信号送信装置２に通知する。光受信器２１は、さらにバースト長の上限を光バースト信号生成装置１から受信する。電気バッファ読出制御部２２及び光送信器２４は、バースト長の上限に従った上記宛先への光信号を光バースト信号生成装置１に送信する。光受信器１４は、バースト長の上限に従った上記宛先への光信号を光信号送信装置２から受信する。
【００３４】
このように、バースト長が長くなりすぎないため、バースト長の変動による運用制御の困難やバースト長の増大による遅延の増大を回避することができる。
【００３５】
（実施形態３、４）
実施形態３の光信号送信装置の構成を図４に示し、実施形態４の光信号送信装置の構成を図５に示す。実施形態３において実施形態１に加えて追加した点について以下では説明し、実施形態４において実施形態２に加えて追加した点について以下では説明する。
【００３６】
電気バッファ２３は、優先クラスバッファ２３１及び非優先クラスバッファ２３２から構成される。優先クラスバッファ２３１及び非優先クラスバッファ２３２は、送信の優先度が互いに異なる信号を蓄積する複数のバッファである。優先クラスバッファ２３１は、例えば遅延条件に厳しいアプリケーションの信号を格納する。非優先クラスバッファ２３２は、例えば遅延条件に厳しくないアプリケーションの信号を格納する。
【００３７】
実施形態３では、電気バッファ読出制御部２２及び光送信器２４は、優先クラスバッファ２３１に対して、光受信器２１が受信した送信予定時刻及び送信予定時刻に送信される上記宛先に関わらず、優先的に読み出しを行なう。そして、電気バッファ読出制御部２２及び光送信器２４は、非優先クラスバッファ２３２に対して、光受信器２１が受信した送信予定時刻及び送信予定時刻に送信される上記宛先に基づいて、非優先的に読み出しを行なう。
【００３８】
実施形態４では、電気バッファ読出制御部２２及び光送信器２４は、優先クラスバッファ２３１に対して、光受信器２１が受信した送信予定時刻、送信予定時刻に送信される上記宛先及びバースト長の上限に関わらず、優先的に読み出しを行なう。そして、電気バッファ読出制御部２２及び光送信器２４は、非優先クラスバッファ２３２に対して、光受信器２１が受信した送信予定時刻、送信予定時刻に送信される上記宛先及びバースト長の上限に基づいて、非優先的に読み出しを行なう。
【００３９】
ここで、送信の優先度が高い信号の中には、宛先が送信予定時刻に送信される宛先と一致する信号がないことが考えられ、送信の優先度が低い信号の中には、宛先が送信予定時刻に送信される宛先と一致する信号があることが考えられる。このときであっても、送信の優先度が低い信号が送信の優先度が高い信号より先に読み出されることはない。
【００４０】
このように、送信の優先度が高い信号に対して、遅延の増大を回避することができ、送信の優先度が低い信号に対して、光バースト信号生成の効率化を図り、光バーストスイッチングによる消費電力削減効果を増大することができる。
【００４１】
（実施形態５、６）
実施形態５のバースト信号生成システムの構成を図６に示し、実施形態６のバースト信号生成システムの構成を図７に示す。実施形態５において実施形態１、２に加えて追加した点について以下では説明し、実施形態６において実施形態３、４に加えて追加した点について以下では説明する。
【００４２】
実施形態５では、Ｎ台の光信号送信装置２−１、・・・、２−Ｎが、光バースト信号生成装置１に接続されている。実施形態５の光受信器２１−１、・・・、２１−Ｎ、電気バッファ読出制御部２２−１、・・・、２２−Ｎ、電気バッファ２３−１、・・・、２３−Ｎ及び光送信器２４−１、・・・、２４−Ｎは、それぞれ実施形態１、２の光受信器２１、電気バッファ読出制御部２２、電気バッファ２３及び光送信器２４に対応する。
【００４３】
つまり、バースト信号制御部１２及び光送信器１３は、光信号送信装置２−１、・・・、２−Ｎに、制御信号Ｃを送信する。そして、電気バッファ読出制御部２２−１、・・・、２２−Ｎ及び光送信器２４−１、・・・、２４−Ｎは、電気バッファ２３−１、・・・、２３−Ｎに対して、送信予定時刻及び送信予定時刻に送信される上記宛先に基づいて、又は、送信予定時刻、送信予定時刻に送信される上記宛先及びバースト長の上限に基づいて、読み出しを行なう。
【００４４】
実施形態６では、Ｎ台の光信号送信装置２−１、・・・、２−Ｎが、光バースト信号生成装置１に接続されている。実施形態６の光受信器２１−１、・・・、２１−Ｎ、電気バッファ読出制御部２２−１、・・・、２２−Ｎ、電気バッファ２３−１、・・・、２３−Ｎ、優先クラスバッファ２３１−１、・・・、２３１−Ｎ、非優先クラスバッファ２３２−１、・・・、２３２−Ｎ及び光送信器２４−１、・・・、２４−Ｎは、それぞれ実施形態３、４の光受信器２１、電気バッファ読出制御部２２、電気バッファ２３、優先クラスバッファ２３１、非優先クラスバッファ２３２及び光送信器２４に対応する。
【００４５】
つまり、バースト信号制御部１２及び光送信器１３は、光信号送信装置２−１、・・・、２−Ｎに、制御信号Ｃを送信する。そして、電気バッファ読出制御部２２−１、・・・、２２−Ｎ及び光送信器２４−１、・・・、２４−Ｎは、優先クラスバッファ２３１−１、・・・、２３１−Ｎに対して、送信予定時刻及び送信予定時刻に送信される上記宛先に関わらず、又は、送信予定時刻、送信予定時刻に送信される上記宛先及びバースト長の上限に関わらず、優先的に読み出しを行なう。そして、電気バッファ読出制御部２２−１、・・・、２２−Ｎ及び光送信器２４−１、・・・、２４−Ｎは、非優先クラスバッファ２３２−１、・・・、２３２−Ｎに対して、送信予定時刻及び送信予定時刻に送信される上記宛先に基づいて、又は、送信予定時刻、送信予定時刻に送信される上記宛先及びバースト長の上限に基づいて、非優先的に読み出しを行なう。
【００４６】
光信号送信装置２が複数台接続されている場合には、光信号送信装置２から光バースト信号生成装置１に送信する時刻を指定する、互いに異なる送信タイミング情報や、光バースト信号生成装置１から送信する予定である時刻を指定する、互いに異なる送信予定時刻情報を、それぞれの制御信号Ｃに付加する必要があることがある。送信タイミング情報は、各光信号送信装置２からの信号が光バースト信号生成装置１に同時に到着して時間的に衝突することを回避する場合等に備えるものである。例えば、ＴＤＭ（Ｔｉｍｅ  Ｄｉｖｉｓｉｏｎ  Ｍｕｌｔｉｐｌｅｘｉｎｇ）−ＰＯＮ（Ｐａｓｓｉｖｅ  Ｏｐｔｉｃａｌ  Ｎｅｔｗｏｒｋ）の光アクセス伝送システムで用いられているような、上り光信号のタイミング制御技術等を利用することで、同時の到着や時間的な衝突を回避することが可能となる。
【００４７】
（実施形態７）
実施形態７の光信号送信装置の処理を図８に示す。光信号送信装置２の電気バッファ２３には、別の光信号送信装置２から伝送されてきた信号が格納されている状況が考えられ、例えば、光信号送信装置２の下流に位置する各ユーザ宅からの上り信号が格納されている状況が考えられる。実施形態７では、光信号送信装置２への到着順、バッファクラスの優先順並びに制御信号Ｃに含まれる送信予定時刻及び上記宛先に基づいて、又は、光信号送信装置２への到着順、バッファクラスの優先順並びに制御信号Ｃに含まれる送信予定時刻、上記宛先及びバースト長の上限に基づいて、電気バッファ２３からの読み出しを行なう。
【００４８】
光信号送信装置２には、Ｂ２、Ａ２、Ｃ１、Ｂ１、Ａ１、Ｃ２（Ａ〜Ｃ：宛先、１〜２：バッファクラス）の順に信号が到着するものとする。「１」の信号は優先クラスバッファ２３１、「２」の信号は非優先クラスバッファ２３２に格納されるものとする。制御信号Ｃに含まれる上記宛先は「Ａ」であるものとする。信号読出基準の優先順位を、バッファクラスの優先順→制御信号Ｃに含まれる上記宛先→光信号送信装置２への到着順とする。
【００４９】
最初にバッファクラスの優先順に基づいて、信号Ｃ１、Ｂ１、Ａ１の順に読み出される。次に制御信号Ｃ（宛先：Ａ）に基づいて、信号Ａ２が読み出される。次に光信号送信装置２への到着順に基づいて、信号Ｂ２、Ｃ２の順に読み出される。実施形態７では、信号読出基準の優先順位及び信号読出基準の組み合わせを様々に設定することができる。
【産業上の利用可能性】
【００５０】
本発明に係るバースト信号生成システム、バースト信号生成装置及び光信号送信装置は、全光ネットワークを実現する光バーストスイッチングに適用することができる。
【符号の説明】
【００５１】
１：光バースト信号生成装置
２：光信号送信装置
１１：光バースト送信器
１２：バースト信号制御部
１３：光送信器
１４：光受信器
１５：電気バッファ
２１：光受信器
２２：電気バッファ読出制御部
２３：電気バッファ
２４：光送信器
２３１：優先クラスバッファ
２３２：非優先クラスバッファ
【図１】
2013081140.tif 000003
【図２】
2013081140.tif 000004
【図３】
2013081140.tif 000005
【図４】
2013081140.tif 000006
【図５】
2013081140.tif 000007
【図６】
2013081140.tif 000008
【図７】
2013081140.tif 000009
【図８】
2013081140.tif 000010